【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
各々が光電変換部を有する第１の画素、第２の画素、第３の画素、第４の画素、第５の画素、第６の画素、第７の画素と、信号処理部とを有し、
前記第１の画素の前記光電変換部が光電変換する光の波長帯域は第１の波長帯域であり、
前記第２〜第７の画素の各々の前記光電変換部が光電変換する光の波長帯域は前記第１の波長帯域を含むとともに前記第１の波長帯域よりも広い波長帯域である第２の波長帯域であり、
前記第１の画素に、前記第２〜第７の画素の各々が隣接し、
第１方向において、第２の画素と第３画素との間に前記第１の画素があり、
前記第１方向とは異なる第２方向において、第４画素と第５画素との間に前記第１の画素があり、
前記第１および第２方向とは異なる第３方向において、第６画素と第７画素との間に前記第１の画素があり、
前記第４画素と前記第７画素は、前記第１方向と平行な方向に沿って隣り合うように設けられ、
前記第２画素と前記第６画素は、前記第２方向と平行な方向に沿って隣り合うように設けられ、
前記信号処理部は、前記第４画素と前記第７画素の各々の信号から前記第１方向の相関値である第１の相関値を得て、前記第２画素と前記第６画素の各々の信号から前記第２方向の相関値である第２の相関値を得て、
前記信号処理部は、前記第１の相関値と前記第２の相関値とを比較することによって、前記第１方向と前記第２方向のうちの相関性の高い方向を得て、
前記信号処理部はさらに、前記第２〜第７の画素のうち前記相関性の高い方向に沿って設けられた、２つの画素の信号を用いて、前記第１の画素における前記第２の波長帯域に相当する信号を補間することを特徴とする撮像装置。
【請求項２】
各々が光電変換部を有する第１の画素および、第２の画素、第３の画素、第４の画素、第５の画素、第６の画素、第７の画素と、信号処理部とを有し、
前記第１の画素の前記光電変換部が光電変換する光の波長帯域は赤と青のいずれかの色に対応する第１の波長帯域であり、
前記第２〜第７の画素の各々の前記光電変換部が光電変換する光の波長帯域は緑の色に対応する第２の波長帯域であり、
前記第１の画素は、第２〜第７の画素によって囲まれており、
第１方向において、第２の画素と第３の画素との間に前記第１の画素があり、
前記第１方向とは異なる第２方向において、第４の画素と第５の画素との間に前記第１の画素があり、
前記第１および第２方向とは異なる第３方向において、第６の画素と第７の画素との間に前記第１の画素があり、
前記第４の画素と前記第７の画素は、前記第１方向と平行な方向に沿って隣り合うように設けられ、
前記第２の画素と前記第６の画素は、前記第２方向と平行な方向に沿って隣り合うように設けられ、
前記信号処理部は、前記第４の画素と前記第７の画素の各々の信号から前記第１方向の相関値である第１の相関値を得て、前記第２の画素と前記第６の画素の各々の信号から前記第２方向の相関値である第２の相関値を得て、
前記信号処理部は、前記第１の相関値と前記第２の相関値とを比較して前記第１方向と前記第２方向のうちの相関性の高い方向を導いて、
前記信号処理部はさらに、前記相関性の高い方向に沿って設けられた、前記６つの第２の画素のうちの２つの画素の信号を用いて、前記第１の画素における前記第２の波長帯域に相当する信号を補間することを特徴とする撮像装置。
【請求項３】
前記第１の画素に、前記第２の波長帯域の光を光電変換する光電変換部を有する第８、第９の画素の各々がさらに隣接し、
前記第１および第２および第３方向とは異なる第４方向において、第８画素と第９画素との間に前記第１の画素があり、
前記第８の画素、前記第４の画素、前記第７の画素は、前記第１方向と平行な方向に沿って隣り合うように設けられ、
前記第６の画素、前記第５の画素、前記第９の画素は、前記第１方向と平行な方向に沿って隣り合うように設けられ、
前記第８の画素、前記第２の画素、前記第６の画素は、前記第２方向と平行な方向に沿って隣り合うように設けられ、
前記第７の画素、前記第３の画素、前記第９の画素は、前記第２方向と平行な方向に沿って隣り合うように設けられていることを特徴とする請求項１または２に記載の撮像装置。
【請求項４】
前記信号処理部は、
前記第８の画素、前記第４の画素、前記第７の画素の各々の信号を用いて、前記第１の相関値を得て、
前記第８の画素、前記第２の画素、前記第６の画素の各々の信号を用いて、前記第２の相関値を得て、
前記第２の画素、前記第４の画素の各々の信号を用いて、前記第３方向の相関値である第３の相関値を得て、
前記第２の画素、前記第５の画素の各々の信号を用いて、前記第４方向の相関値である第４の相関値を得て、
前記信号処理部は、前記第１、第２、第３、第４の相関値を比較することによって、前記第１、第２、第３、第４方向のうちの相関性の高い方向を得て、前記相関性の高い方向に沿って設けられた、前記８つの第２の画素のうちの２つの画素の信号を用いて、前記第１の画素における前記第２の波長帯域に相当する信号を補間することを特徴とする請求項３に記載の撮像装置。
【請求項５】
前記信号処理部は、前記第１、第２、第３、第４の相関値のそれぞれを、前記第１の画素の重心と前記第２の画素の重心との間の距離に応じた重み付けを行って取得することを特徴とする請求項４に記載の撮像装置。
【請求項６】
請求項１〜５のいずれか１項に記載の撮像装置と、前記撮像装置が出力する信号を用いて画像を生成する画像処理部とを有することを特徴とする撮像システム。
【請求項７】
各々が光電変換部を有する第１の画素および複数の第２の画素が出力する信号を処理する信号処理方法であって、
前記第１の画素の前記光電変換部が光電変換する光の波長帯域は第１の波長帯域であり、
前記複数の第２の画素の各々の前記光電変換部が光電変換する光の波長帯域は前記第１の波長帯域を含むとともに前記第１の波長帯域よりも広い波長帯域である第２の波長帯域であり、
前記第１の画素に、前記複数の第２の画素のうちの少なくとも６つの第２の画素の各々が隣接し、
第１方向において、前記６つの第２の画素のうちの第２の画素と第３の画素との間に前記第１の画素があり、
前記第１方向とは異なる第２方向において、前記６つの第２の画素のうちの第４の画素と第５の画素との間に前記第１の画素があり、
前記第１および第２方向とは異なる第３方向において、前記６つの第２の画素のうちの第６の画素と第７の画素との間に前記第１の画素があり、
前記第４の画素と前記第７の画素は、前記第１方向と平行な方向に沿って隣り合うように設けられ、
前記第２の画素と前記第６の画素は、前記第２方向と平行な方向に沿って隣り合うように設けられ、
前記信号処理方法は、
前記第４の画素と前記第７の画素の各々の信号から前記第１方向の相関値である第１の相関値を得て、前記第２の画素と前記第６の画素の各々の信号から前記第２方向の相関値である第２の相関値を得るステップと、
前記第１の相関値と前記第２の相関値とを比較することによって、前記第１方向と前記第２方向のうちの相関性の高い方向を得るステップと、
前記相関性の高い方向に沿って設けられた、前記６つの第２の画素のうちの２つの画素の信号を用いて、前記第１の画素における前記第２の波長帯域に相当する信号を補間するステップとを有することを特徴とする信号処理方法。
【手続補正２】
【補正対象書類名】明細書
【補正対象項目名】０００８
【補正方法】変更
【補正の内容】
【０００８】
本発明は、上記の課題を鑑みて為されたものであり、一の態様は、各々が光電変換部を有する第１の画素、第２の画素、第３の画素、第４の画素、第５の画素、第６の画素、第７の画素と、信号処理部とを有し、前記第１の画素の前記光電変換部が光電変換する光の波長帯域は第１の波長帯域であり、前記第２〜第７の画素の各々の前記光電変換部が光電変換する光の波長帯域は前記第１の波長帯域を含むとともに前記第１の波長帯域よりも広い波長帯域である第２の波長帯域であり、前記第１の画素に、前記第２〜第７の画素の各々が隣接し、第１方向において、第２の画素と第３画素との間に前記第１の画素があり、前記第１方向とは異なる第２方向において、第４画素と第５画素との間に前記第１の画素があり、前記第１および第２方向とは異なる第３方向において、第６画素と第７画素との間に前記第１の画素があり、前記第４画素と前記第７画素は、前記第１方向と平行な方向に沿って隣り合うように設けられ、前記第２画素と前記第６画素は、前記第２方向と平行な方向に沿って隣り合うように設けられ、前記信号処理部は、前記第４画素と前記第７画素の各々の信号から前記第１方向の相関値である第１の相関値を得て、前記第２画素と前記第６画素の各々の信号から前記第２方向の相関値である第２の相関値を得て、前記信号処理部は、前記第１の相関値と前記第２の相関値とを比較することによって、前記第１方向と前記第２方向のうちの相関性の高い方向を得て、前記信号処理部はさらに、前記第２〜第７の画素のうち前記相関性の高い方向に沿って設けられた、２つの画素の信号を用いて、前記第１の画素における前記第２の波長帯域に相当する信号を補間することを特徴とする撮像装置である。
【手続補正３】
【補正対象書類名】明細書
【補正対象項目名】０００９
【補正方法】変更
【補正の内容】
【０００９】
他の態様は、各々が光電変換部を有する第１の画素および複数の第２の画素が出力する信号を処理する信号処理方法であって、前記第１の画素の前記光電変換部が光電変換する光の波長帯域は第１の波長帯域であり、前記複数の第２の画素の各々の前記光電変換部が光電変換する光の波長帯域は前記第１の波長帯域を含むとともに前記第１の波長帯域よりも広い波長帯域である第２の波長帯域であり、前記第１の画素に、前記複数の第２の画素のうちの少なくとも６つの第２の画素の各々が隣接し、第１方向において、前記６つの第２の画素のうちの第２の画素と第３の画素との間に前記第１の画素があり、前記第１方向とは異なる第２方向において、前記６つの第２の画素のうちの第４の画素と第５の画素との間に前記第１の画素があり、前記第１および第２方向とは異なる第３方向において、前記６つの第２の画素のうちの第６の画素と第７の画素との間に前記第１の画素があり、前記第４の画素と前記第７の画素は、前記第１方向と平行な方向に沿って隣り合うように設けられ、前記第２の画素と前記第６の画素は、前記第２方向と平行な方向に沿って隣り合うように設けられ、前記信号処理方法は、前記第４の画素と前記第７の画素の各々の信号から前記第１方向の相関値である第１の相関値を得て、前記第２の画素と前記第６の画素の各々の信号から前記第２方向の相関値である第２の相関値を得るステップと、前記第１の相関値と前記第２の相関値とを比較することによって、前記第１方向と前記第２方向のうちの相関性の高い方向を得るステップと、前記相関性の高い方向に沿って設けられた、前記６つの第２の画素のうちの２つの画素の信号を用いて、前記第１の画素における前記第２の波長帯域に相当する信号を補間するステップとを有することを特徴とする信号処理方法である。